(57)【要約】【課題】  本発明の目的は、一対の管部材同士を該管部材の管軸回りの回転を伴わないで連結可能な管継手を有する配管系統において、管継手による連結を解除して一対の管部材同士を取り外す管部材取り外し工法において、作業効率を悪化させることなく、簡単な構成で、配管系統を流通する流体が外部に流出することを防止可能な技術を提供する点にある。【解決手段】  延伸自在且つ不透過性の粘着テープ材Ｔを一対の管部材３，１１の間を覆う状態で巻き付ける巻き付け工程と、管継手８による連結が解除された状態で、巻き付けられた粘着テープ材Ｔを延伸させながら、一対の管部材３，１１同士を管軸方向に離間させる延伸離別工程と、一対の管部材３，１１の間で粘着テープ材Ｔを閉塞させる閉塞工程と、一対の管部材３，１１の間で粘着テープ材Ｔを切断する切断工程とを順に行う。【選択図】        図７
2006009951.tif 000002
【特許請求の範囲】
【請求項１】
一対の管部材同士を該管部材の管軸回りの回転を伴わないで連結可能な管継手を有する配管系統において、前記管継手による連結を解除して前記一対の管部材同士を取り外す管部材取り外し工法であって、
延伸自在且つ不透過性の粘着テープ材を前記一対の管部材の間を覆う状態で巻き付ける巻き付け工程と、
前記管継手による連結が解除された状態で、前記巻き付けられた粘着テープ材を延伸させながら、前記一対の管部材同士を管軸方向に離間させる延伸離別工程と、
前記一対の管部材の間で前記粘着テープ材を閉塞させる閉塞工程と、
前記一対の管部材の間で前記粘着テープ材を切断する切断工程とを順に行う管部材取り外し工法。
【請求項２】
前記管継手が、前記一対の管部材の一方側に取り付けられたユニオンナットと他方側に形成されたユニオンねじに締結して前記一対の管部材を連結するユニオン式に構成され、
前記巻き付け工程の前に、前記ユニオンナットと前記ユニオンねじとの締結を解除して前記ユニオンナットを前記ユニオンねじ側から退避させるユニオンナット退避工程を行う請求項１に記載の管部材取り外し工法。
【請求項３】
前記ユニオンナット退避工程の前に、支持治具により前記一対の管部材の相対位置を支持させる支持工程を行い、
前記延伸離別工程の前に前記支持治具を取り外す請求項１又は２に記載の管部材取り外し工法。
【請求項４】
前記配管系統が、燃料ガスが流通するガス配管系統であり、
前記管継手が、燃料ガスの流量を計測するガスメータ側の管部材と、前記ガスメータへの燃料ガスの供給を遮断する遮断弁側の管部材とを連結する管継手である請求項１から３の何れか１項に記載の管部材取り外し工法。
【請求項５】
前記ガスメータに、燃料ガスの通流を遮断する内蔵遮断弁を有し、
前記内蔵遮断弁を閉状態とすると共に、前記ガスメータの出口側の管継手による連結を解除した状態で、前記延伸離別工程を行う請求項４に記載の管部材取り外し工法。
【発明の詳細な説明】
【技術分野】
【０００１】
本発明は、一対の管部材同士を該管部材の管軸回りの回転を伴わないで連結可能な管継手を有する配管系統において、前記管継手による連結を解除して前記一対の管部材同士を取り外す管部材取り外し工法に関する。
【背景技術】
【０００２】
上記のような一対の管部材同士を該管部材の管軸回りの回転を伴わないで連結可能な管継手としては、一対の管部材の一方側に取り付けられたユニオンナットを他方側に形成されたユニオンねじに締結して一対の管部材を連結するユニオン式に構成されたものや、一対の管部材の一方側に他方側を差し込んだ状態で、一対の管部材の間にあるゴム輪やガスケットなどを押し輪で締め付けて一対の管部材を連結するメカニカル式に構成されたものや、スリーブを一対の管部材の端部にくい込ませて一対の管部材を連結するくい込み式に構成されものなどがある。
【０００３】
かかる管継手を用いて連結された一対の管部材を有する配管系統において、管部材や該管部材に設けられた機器の交換又は修理等の目的で、その管継手による連結を解除してその一対の管部材同士を取り外す管部材取り外し工法を行う場合があり、このような取り外す管部材取り外し工法においては、配管系統に流通する流体が外部に流出するのを防止する必要がある。
【０００４】
都市ガス等の燃料ガスが流通するガス配管系統には、燃料ガスの流量を計測するガスメータ側の管部材とガスメータへの燃料ガスの供給を遮断する遮断弁側の管部材とを連結する管継手が設けられており、ガスメータの交換又は修理等の目的で、その管継手による連結を解除してガスメータ側の管部材を遮断弁側の管部材から取り外す管部材取り外し工法を行う場合があり、特に、ガス配管系統に流通する燃料ガスは、可燃性であるため、外部に流出するのを防止して、安全を確保する必要がある。
そして、このようなガス配管系統において管部材取り外し工法を行う前に、管継手の上流側にある遮断弁を閉状態とすることで、燃料ガスの流出を防止することができるが、上記遮断弁が固着や故障等の理由で開状態から閉状態に切り替えることができない場合には、別途燃料ガスの流出を防止する対策を施す必要がある。
【０００５】
このように配管系統において管部材取り外し工法を行う際の流体の流出を防止する対策としては、取り外されるガスメータや管部材や管継手等を含む部分を比較的大きなビニル製のバック（袋）で覆い、例えばバックに設けられた手袋に手を入れて管部材取り外し工法を行うというノーブロー工法と呼ばれる方法がある（例えば、特許文献１を参照。）。
【０００６】
【特許文献１】特開２０００−２７５０７９号公報
【発明の開示】
【発明が解決しようとする課題】
【０００７】
従来のノーブロー工法では、比較的大きなバックが必要となるため費用が嵩み、更に、そのバックを介して内部を視認しながら、手袋等のバックを介して工具を使うという煩雑な作業が必要となり、作業効率の悪化の要因となっていた。
また、取り外される管部材の形状が、長尺な形状や複雑な形状である場合には、簡単にはバックにより覆うことが出来ない場合があり、管部材の形状によらずに流体の流出を防止できる方法が求められていた。
【０００８】
本発明は、上記の課題に鑑みてなされたものであり、その目的は、一対の管部材同士を該管部材の管軸回りの回転を伴わないで連結可能な管継手を有する配管系統において、前記管継手による連結を解除して前記一対の管部材同士を取り外す管部材取り外し工法において、作業効率を悪化させることなく、簡単な構成で、配管系統を流通する流体が外部に流出することを防止可能な技術を提供する点にある。
【課題を解決するための手段】
【０００９】
上記目的を達成するための本発明に係る管部材取り外し工法は、一対の管部材同士を該管部材の管軸回りの回転を伴わないで連結可能な管継手を有する配管系統において、前記管継手による連結を解除して前記一対の管部材同士を取り外す管部材取り外し工法であって、その第１特徴構成は、延伸自在且つ不透過性の粘着テープ材を前記一対の管部材の間を覆う状態で巻き付ける巻き付け工程と、
前記管継手による連結が解除された状態で、前記巻き付けられた粘着テープ材を延伸させながら、前記一対の管部材同士を管軸方向に離間させる延伸離別工程と、
前記一対の管部材の間で前記粘着テープ材を閉塞させる閉塞工程と、
前記一対の管部材の間で前記粘着テープ材を切断する切断工程とを順に行う点にある。
【００１０】
上記第１特徴構成によれば、管継手を用いて連結された一対の管部材を有する配管系統において、管継手による連結が解除される前又は解除された後に、上記巻き付け工程において粘着テープ材を一対の管部材の間を覆う状態で巻き付け、次に、上記延伸離別工程において一対の管部材同士を管軸方向に離間させることで、その巻き付けられた粘着テープ材を延伸させることで、離間された一対の管部材の間から流体が外部に流出することを、上記延伸した筒状の粘着テープ材により遮断することができる。
そして、上記閉塞工程において、粘着テープ材の内面同士を密着させることで、一対の管部材の間で粘着テープ材を閉塞させることで、上流側の管部材から下流側の管部材へ流体が流通することを遮断することができ、更に、上記切断工程において、一対の管部材の間で粘着テープ材の上記閉塞工程において閉塞された部分の下流側を切断することで、上流側の管部材から流体が外部に流出することを防止しながら、一対の管部材同士を取り外すことができる。
従って、本発明に係る管部材取り外し工法により、上記管継手の解除作業や管部材の取り外し作業等における作業効率を悪化させることなく、上記のような粘着テープ材を使用するという簡単な構成で、配管系統を流通する流体が外部に流出することを防止しながら、一対の管部材同士を取り外すことができる。
【００１１】
本発明に係る管部材取り外し工法の第２特徴構成は、前記管継手が、前記一対の管部材の一方側に取り付けられたユニオンナットと他方側に形成されたユニオンねじに締結して前記一対の管部材を連結するユニオン式に構成され、
前記巻き付け工程の前に、前記ユニオンナットと前記ユニオンねじとの締結を解除して前記ユニオンナットを前記ユニオンねじ側から退避させるユニオンナット退避工程を行う点にある。
【００１２】
上記第２特徴構成によれば、上記のような一対の管部材同士を該管部材の管軸回りの回転を伴わないで連結可能な管継手が、上記ユニオン式の管継手である場合には、上記ユニオンナット退避工程において、ユニオンナットをユニオンねじ側から退避させた状態で、上記巻き付け工程において、ユニオンナット側の管部材の外側と上記ユニオンねじの外側とを覆う状態で、粘着テープを巻き付け、後に、上記延伸離別工程において、巻き付けられた粘着テープ材を延伸させながら、一対の管部材同士を管軸方向に離間させることができる。
【００１３】
本発明に係る管部材取り外し工法の第３特徴構成は、前記ユニオンナット退避工程の前に、支持治具により前記一対の管部材の相対位置を支持させる支持工程を行い、
前記延伸離別工程の前に前記支持治具を取り外す点にある。
【００１４】
上記第３特徴構成によれば、上記ユニオンナット退避工程の前に上記支持工程を行うことで、ユニオンナットとユニオンねじとの締結を解除しても、支持治具により一対の管部材の相対位置を支持し、一対の管部材が粘着テープを巻き付ける前に離間することを防止して、不慮の流体の流出を防止することができ、更に、上記巻き付け工程において、一対の管部材の相対位置が安定した状態で効率良く粘着テープを巻き付けることができる。
【００１５】
本発明に係る管部材取り外し工法の第４特徴構成は、前記配管系統が、燃料ガスが流通するガス配管系統であり、
前記管継手が、燃料ガスの流量を計測するガスメータ側の管部材と、前記ガスメータへの燃料ガスの供給を遮断する遮断弁側の管部材とを連結する管継手である点にある。
【００１６】
上記第４特徴構成によれば、流体としての燃料ガスの流量を計測するガスメータ側の管部材とガスメータへの燃料ガスの供給を遮断する遮断弁側の管部材とを連結する管継手が設けられている上記ガス配管系統において、例えば遮断弁が固着等により閉状態とならない場合でも、配管系統を流通する流体が外部に流出することを防止しながら、遮断弁側の管部材からガスメータ側の管部材を取り外し、例えば、ガスメータの交換又は修理等の作業を行うことができる。
【００１７】
本発明に係る管部材取り外し工法の第５特徴構成は、前記ガスメータに、燃料ガスの通流を遮断する内蔵遮断弁を有し、
前記内蔵遮断弁を閉状態とすると共に、前記ガスメータの出口側の管継手による連結を解除した状態で、前記延伸離別工程を行う点にある。
【００１８】
上記第５特徴構成によれば、上記ガスメータに内蔵された内蔵遮断弁を閉状態とすることで、上記出口側の管継手の連結を解除しても、上記ガスメータから出口側の管継手側への燃料ガスの流出を防止することができる。また、粘着テープを巻き付けた入口側の管継手に加えて上記出口側の管継手の連結をも解除とすることで、ガスメータを下方に移動させて、前記巻き付けられた粘着テープ材を延伸させる延伸離別工程を簡単に行うことができる。
【発明を実施するための最良の形態】
【００１９】
本発明に係る管部材取り外し工法の実施の形態として、図１を参照して、流体としての都市ガスＧ（燃料ガス）の流量を計測するガスメータ１０側の管部材１１とガスメータ１０への都市ガスＧの供給を遮断する遮断弁２側の管部材３とを連結する管継手８が設けられているガス配管系統において、管継手８による連結を解除して一対の管部材３，１１同士を取り外す管部材取り外し工法について、説明する。
【００２０】
先ず、ガス配管系統について説明すると、かかるガス配管系統は、一次側立管１に供給された都市ガスＧを、遮断弁２、管部材３、ガスメータ１０、管部材４、エルボ６、及び、二次側立管７を順に流通させて、家庭内のガス機器に供給するように構成されている。
【００２１】
上記遮断弁２は、操作部２ａの回動操作により都市ガスＧの流通を遮断可能に構成されている。
そして、その遮断弁２は、下方に向けて開放され管用ねじが施された入口及び出口を有するＵ字状に形成され、その入口側には鉛直方向を管軸方向とする一次側立管１がねじ込み式に結合され、その出口側には後述する管部材３がねじ込み式に結合されている。
【００２２】
一方、エルボ６についても、遮断弁２と同様に、下方に向けて開放され管用ねじが施された入口及び出口を有するＵ字状に形成され、その入口側には、後述する管部材３がねじ込み式に結合され、その出口側には鉛直方向を管軸方向とする二次側立管７がねじ込み式に結合されている。
【００２３】
更に、ガスメータ１０を支持するためのブラケット４０が、上記遮断弁２の出口側及び上記エルボ６の入口側を支持する形態で、ナット４１，４２により固定されている。
【００２４】
管部材３は、管継手８の短管として構成されており、その管継手８の構造について、図８に基づいて説明を加える。
【００２５】
かかる管継手８は、管部材３側に取り付けられたユニオンナット８ａを管部材１１側に形成されたユニオンねじ８ｂに締結することで、一対の管部材３，１１を連結する公知のユニオン式に構成されている。
即ち、ユニオン式の管継手８は、管部材３の端部の外側にユニオンつば３ａを形成すると共に、管部材１１側の端部にガスケット１１ａを設け、上記管部材３の端部を管部材１１内に挿入する状態で、ユニオンナット８ａをユニオンねじ８ｂに締結することで、管部材３側のユニオンつば３ａが管部材１１側のガスケット１１ａに押さえつけられて内部が気密状態となり、管部材３と管部材１１とが連結されるように構成されている。
そして、上記のようなユニオン式の管継手８は、一対の管部材３，１１同士を該管部材３，１１の管軸回りの回転を伴わないで連結可能なものである。
尚、上記管継手９についても、上記管継手８と同様のユニオン式に構成されており、詳細な説明については省略する。
【００２６】
次に、管部材取り外し工法について説明すると、かかる管部材取り外し工法は、ガスメータ１０側の管部材１１と、ガスメータ１０への都市ガスＧの供給を遮断する遮断弁２側の管部材３とを連結する管継手８を対象とし、その管継手８の連結を解除して一対の管部材３，１１同士を取り外す工法であり、本管部材取り外し工法を行うことで、例えば遮断弁２が固着等の理由により閉状態とすることができない場合でも、都市ガスＧの外部への流出を防止しながら、一対の管部材３，１１同士を取り外して、ガス配管系統からガスメータ１０を取り外して、ガスメータ１０の交換又は修理等を行うことができる。
【００２７】
このような管部材取り外し工法は、図１〜図７の順に示す各工程を順に実行することにより行われる。
先ず、上述した図１に示す状態のガス配管系統において、図２に示すように、ガスメータ１０の不慮の脱落やがたつき等を防止するために、支持治具２０により、ガスメータ１０の底部とブラケット２１の上面とを添え木２１等を介して挟持した状態で固定することにより、一対の管部材３，１１の相対位置を支持する支持工程を行う。
【００２８】
そして、この支持治具２０によりガスメータ１０を支持した状態で、ユニオンナット８ａを緩めて管継手８による管部材３，１１の連結を解除し、ユニオンナット８ａをユニオンねじ８ｂ側から退避させるユニオンナット退避工程を行う。
尚、このユニオンナット退避工程において退避したユニオンナット８ａは、後の作業の邪魔にならないように、ゴムバンドなどにより上方に固定しておくことが好ましい。
【００２９】
次に、図３に示すように、粘着テープ材Ｔを一対の管部材３，１１の間を覆う状態で巻き付ける巻き付け工程を行う。
この粘着テープ材Ｔは、長さ方向及び幅方向に弾性的に延伸自在、且つ、都市ガスＧ等の気体が透過しない不透過性のものであり、例えば、ＥＰＭ（エチレン・プロピレンゴム）やＥＰＤＭ（エチレン・プロピレン・ターポリマー）をベースとした基材に、ブチルゴム系コンパウンドからなる粘着材を略均一に貼り合わせた伸び率８００％程度の粘着テープ等を利用することができる。
また、上記粘着テープ材Ｔの管部材３，１１からの抜けや都市ガスＧの流出を確実に防止するためには、例えば、幅が５０ｍｍ程度の上記粘着テープ材Ｔを使用して、管部材３，１１の間を、１回転以上巻き付ける必要があり、例えば５回転程度巻きつけることが好ましい。
【００３０】
また、上記粘着テープ材Ｔを巻きつける前に、管部材３，１１の間に、ビニルテープを巻きつけて、管部材３，１１を固定しておいても構わない。
【００３１】
次に、図４に示すように、管部材３，１１の間に巻き付けられた粘着テープ材Ｔが管部材３及び管部材１１から抜けないように、その粘着テープ材Ｔの管部材３側及び管部材１１側の両端部を公知の結束バンド３５により縛り付ける。
【００３２】
次に、図５に示すように、支持治具２０を取り外し、更に、前記ガスメータ１０に内蔵され燃料ガスＧ（図示せず）の通流を遮断する内蔵遮断弁を閉状態とすると共に、ガスメータ１０の出口側の管継手９も解除した状態で、ガスメータ１０を下方に移動させることで、巻き付けられた粘着テープ材Ｔを延伸させながら、一対の管部材３，１１同士を管軸方向に離間させる延伸離別工程を行う。
【００３３】
即ち、ガスメータ１０を下方に移動させて、一対の管部材３，１１同士を管軸回りの回転を伴わないで管軸方向に離間させると、一対の管部材３，１１の間に巻き付けられた粘着テープ部材Ｔは、一対の管部材３，１１の間から都市ガスＧが外部に流出することを阻止しながら、筒状を保ちながら幅方向において延伸することになる。
【００３４】
次に、図６に示すように、一対の管部材３，１１の間で粘着テープ材Ｔを閉塞させる閉塞工程を行う。
この閉塞工程では、互いに離間した一対の管部材３，１１の間で粘着テープ材Ｔの内面同士を密着させて扁平状とすることで、上記粘着テープ材Ｔの内面の粘着性により、その扁平上が保たれて、上流側の管部材３から下流側の管部材１１へ都市ガスＧが流通することが遮断されるのであるが、更に、その粘着テープ材Ｔを扁平状に保つためのクリップ３７を用いることにより、都市ガスＧの流通が確実に遮断される。
【００３５】
次に、図７に示すように、一対の管部材３，１１の間で、上記クリップ３７により都市ガスＧの流通が遮断された箇所の下流側において、粘着テープ材Ｔを切断する切断工程を行うことで、上流側の管部材３から都市ガスＧが外部に流出することを防止しながら、一対の管部材３，１１同士を取り外し、結果、ガスメータ１０を取り外すことができる。
【００３６】
また、上述した管部材取り外し工法を行った後に、例えば、遮断弁２をビニル製のバックで覆い、そのバック内で、遮断弁２を取り外して一次側立管１の出口を塞ぐという従来のノーブロー工法を行うことで、都市ガスＧの外部への流出を防止しながら、遮断弁２を交換することができる。
【００３７】
〔別実施形態〕
（１）
上記実施の形態においては、燃料ガスである都市ガスＧが流通するガス配管系統において、ガスメータ１０側の管部材１１と遮断弁２側の管部材３とを連結する管継手８による連結を解除して一対の管部材３，１１同士を取り外す管部材取り外し工法について説明したが、本発明に係る管部材取り外し工法は、例えば、上記燃料ガス以外の気体又は液体等が流通し、一対の管部材同士を該管部材の管軸回りの回転を伴わないで連結可能な管継手を有する配管系統であれば、その管継手により連結されている管部材同士を取り外す工法として実施することができる。
【００３８】
（２）
上記実施の形態において、管部材３，１１の管軸回りの回転による粘着テープ材Ｔのシール性低下や粘着テープ材Ｔの管部材３，１１からの脱離等を防止するために、管継手８を、管部材３，１１の管軸回りの回転を伴わないで一対の管部材３，１１同士を連結可能なユニオン式に構成したが、このような管継手８としては、上記ユニオン式以外に、例えば、一対の管部材３，１１の一方側に他方側を差し込んだ状態で、一対の管部材３，１１の間にあるゴム輪やガスケットなどを押し輪で締め付けて一対の管部材を連結するメカニカル式に構成されたものや、スリーブを一対の管部材の端部にくい込ませて一対の管部材を連結するくい込み式に構成されものなどを採用することができる。
【００３９】
（３）
上記実施の形態では、ガスメータ１０の入口側の管継手８に対してのみ粘着テープ材Ｔを巻き付ける形態で巻管部材取り外し工法を実行したが、別に、例えばガスメータ１０内において燃料ガスＧの通流を遮断できない場合などに、上記管継手８に加えて、ガスメータ１０の出口側の管継手９に対しても粘着テープ材Ｔを巻き付ける形態で巻管部材取り外し工法を実行しても構わない。
【図面の簡単な説明】
【００４０】
【図１】ガス配管系統におけるガスメータの設置状態を示す図
【図２】管部材取り外し工法における支持工程及びユニオンナット退避工程後の状態を示す図
【図３】管部材取り外し工法における巻き付け工程中の状態を示す図
【図４】管部材取り外し工法における巻き付け工程後の状態を示す図
【図５】管部材取り外し工法における延伸離別工程後の状態を示す図
【図６】管部材取り外し工法における閉塞工程後の状態を示す図
【図７】管部材取り外し工法における切断工程後の状態を示す図
【図８】管継手の分解状態を示す概略図
【符号の説明】
【００４１】
１：一次側立管
２：遮断弁
３：管部材
８ｂ：ユニオンねじ
８ａ：ユニオンナット
８：管継手
１０：ガスメータ
１１管部材
２０：支持治具
３５：結束バンド
３７：クリップ
４０：ブラケット
４１，４２：ナット
Ｇ：都市ガス（燃料ガス）
Ｔ：粘着テープ材
【図１】
2006009951.tif 000003
【図２】
2006009951.tif 000004
【図３】
2006009951.tif 000005
【図４】
2006009951.tif 000006
【図５】
2006009951.tif 000007
【図６】
2006009951.tif 000008
【図７】
2006009951.tif 000009
【図８】
2006009951.tif 000010